(57)【特許請求の範囲】
【請求項１】
監視対象となる場所の状況を撮影するカメラと、監視対象となる場所に設置されてカメラの映像を指令室に送信する通信機と、監視対象場所の映像が映し出された画面を備えた指令室モニターと、指令室に設置された指令側マイクとを備え、
監視対象場所の映像が映し出された画面のＰＴＴボタンがクリックされると、指令側マイクのＰＴＴボタンがオンとなり、指令室からの音声信号が通信回線を介して監視対象場所の通信機に送られ、指令室からの音声による指示が監視対象場所に送信され、
指令室からの音声による指示が監視対象場所に送信されると、クリックされた画面の映像を送信した監視対象場所からの音声情報が前記通信機を介して指令室に送信できる状態となる指令応答手段を備えており、
前記指令応答手段は、指令室と監視対象場所との間で相互に通信可能な状態となって、監視対象場所からの音声情報が前記通信機を介して指令室に送信されるものであり、
指令室と監視対象場所との間で相互に通信可能な状態下において、送信されている音声が、指令室からのものであるか監視対象場所からのものであるかを判定する音声方向判定手段を備え、
前記音声方向判定手段によって、音声が指令室からのものであると判断されると、音声を監視対象場所に送信し、音声が監視対象場所からのものであると判断されると、音声を指令室へ送信することを特徴とする監視システム。
【請求項２】
監視対象となる場所の状況を撮影するカメラと、監視対象となる場所に設置されてカメラの映像を指令室に送信する通信機と、監視対象場所の映像が映し出された画面を備えた指令室モニターと、指令室に設置された指令側マイクとを備え、
監視対象場所の映像が映し出された画面のＰＴＴボタンがクリックされると、指令側マイクのＰＴＴボタンがオンとなり、指令室からの音声信号が通信回線を介して監視対象場所の通信機に送られ、指令室からの音声による指示が監視対象場所に送信され、
指令室からの音声による指示が監視対象場所に送信されると、クリックされた画面の映像を送信した監視対象場所からの音声情報が前記通信機を介して指令室に送信できる状態となる指令応答手段を備えており、
前記指令応答手段は、指令室と監視対象場所との間で相互に通信可能な状態となって、監視対象場所からの音声情報が前記通信機を介して指令室に送信されるものであり、
指令室と監視対象場所との間で相互に通信可能な状態下において、送信されている音声が、指令室からのものであるか監視対象場所からのものであるかを判定する音声方向判定手段を備え、
前記音声方向判定手段によって、指令室からの音声と監視対象場所からの音声とが混合していると判断されると、その混合音声を指令室と監視対象場所とに送信し、指令室に送信される音声からは、指令室から発せられた音声を消去し、監視対象場所に送信される音声からは、監視対象場所から発せられた音声を消去するエコーキャンセル手段を備えていることを特徴とする監視システム。
【請求項３】
前記指令室モニターには、個別の監視対象場所の映像が映し出された複数の画面が表示されるとともに、選択された複数の監視対象場所を表示する統合画面が表示され、当該統合画面のＰＴＴボタンがクリックされると、指令側マイクのＰＴＴボタンがオンとなり、指令室からの音声信号が通信回線を介して、該当するグループ化された複数の監視対象場所の通信機に送られ、指令室からの指示が該当するグループ化された複数の監視対象場所に送信されることを特徴とする請求項１または２記載の監視システム。
【請求項４】
指令室からの音声による指示がグループ化された複数の監視対象場所に送信されると、該当するグループ化された複数の監視対象場所からの音声情報が前記通信機を介して指令室に送信できる状態となるグループ化指令応答手段を備えていることを特徴とする請求項３記載の監視システム。
【請求項５】
前記指令室モニターには、全ての監視対象場所に対して送信するための一斉通信画面が表示され、一斉通信画面のＰＴＴボタンがクリックされると、指令側マイクのＰＴＴボタンがオンとなり、指令室からの音声信号が通信回線を介して、全ての監視対象場所の通信機に送られ、指令室からの指示が全ての監視対象場所に送信されることを特徴とする請求項１から４のいずれかに記載の監視システム。
【請求項６】
指令室からの音声による指示が全ての監視対象場所に送信されると、全ての監視対象場所からの音声情報が前記通信機を介して指令室に送信できる状態となる一斉指令応答手段を備えていることを特徴とする請求項５記載の監視システム。
【発明の詳細な説明】
【技術分野】
【０００１】
本発明は、警備や災害監視等のために設置される監視システムに関する。
【背景技術】
【０００２】
近年、防犯上の理由から、監視カメラが数多く設置されるようになり、監視領域における人物等の監視対象を撮影することが多くなっており、犯罪捜査の解決に寄与している事例も報告されている。
【０００３】
この種の監視カメラを警備対象地域に数多く配置して、監視領域において事件などの所定の事象が発生した場合に、監視対象場所の運営者である警備会社や警察等に報知、報告等を行う警備システムが利用されている。また、災害の発生状況を監視するために、自治体が管理地域に監視カメラを配置して、防災本部等で集中管理するケースも存在している。
【０００４】
特許文献１には、監視領域における人物等の監視対象の行動に関する追跡情報を視覚的に容易に得ることを目的とした警備システムが開示されている。
【０００５】
【特許文献１】特開２０１７−４０９８２号公報
【発明の概要】
【発明が解決しようとする課題】
【０００６】
このような監視システムにおいては、各地域に配置された監視カメラの画像が指令室に送られ、指令室のマルチ画面に映し出されて、指令室においてその状況を監視するのが通常である。その場合に、特定の監視カメラに映し出された映像から、指令室でその特定の場所で異常事態が生じていると判断したときに、より詳細な情報を得たいと思ったときは、監視カメラが設置された場所に配置されている人員に対して、無線機を用いて詳細情報を取得することがなされる。
【０００７】
しかし、画像による異常事態の把握から、無線機によって事情聴取を行うまでには、無線機の操作を行う必要があることによって、ある程度の時間を要してしまう。しかし、犯罪の発生や災害の発生時には、この時間ロスが大きな損失を生じる原因となりかねない。
【０００８】
本発明は、このよう事情を考慮してなされたもので、監視場所からの映像が送られる指令室と監視場所との間の通信を簡単な操作により短時間で行うことを可能とする監視システムを提供する目的とする。
【課題を解決するための手段】
【０００９】
以上の課題を解決するために、本発明の監視システムは、監視対象となる場所の状況を撮影するカメラと、監視対象となる場所に設置されてカメラの映像を指令室に送信する通信機と、監視対象場所の映像が映し出された画面を備えた指令室モニターと、指令室に設置された指令側マイクとを備え、監視対象場所の映像が映し出された画面のＰＴＴボタンがクリックされると、指令側マイクのＰＴＴボタンがオンとなり、指令室からの音声信号が通信回線を介して監視対象場所の通信機に送られ、指令室からの音声による指示が監視対象場所に送信されることを特徴とする。
【００１０】
指令室において監視者が、指令室モニターに表示される特定の監視対象場所の映像を見て、異常事態の発生を感じたときには、当該監視対象場所の映像が映し出された画面のＰＴＴボタンをクリックすることによって、指令側マイクのＰＴＴボタンがオンとなり、指令室からの音声信号が通信回線を介して監視対象場所の通信機に送られ、指令室からの音声による指示が監視対象場所に送信される。
【００１１】
そのため、従来から行われているように、異常が検知された監視対象場所に駐在する係員に対して、無線通信機等のような別個の装置を用いて指令を伝達する必要がなく、指令室モニターによって一元化された指令の伝達が可能となる。従って、無線通信機等のような別個の装置を操作するために必要となる時間を要することなく、指令室と監視場所との間の通信を簡単な操作により短時間で行うことができる。
【００１２】
本発明の監視システムにおいては、指令室からの音声による指示が監視対象場所に送信されると、クリックされた画面の映像を送信した監視対象場所からの音声情報が前記通信機を介して指令室に送信できる状態となる指令応答手段を備えている。
【００１３】
このような指令応答手段を備えていることにより、指令室からの指示に対応して、応答用マイクから通信回線によって瞬時に指令室へ応答を行うことができる。
【００１４】
本発明の監視システムにおいては、前記指令応答手段は、指令室からの音声情報の送信が終了すると自動的に監視対象場所からの音声待機状態となり、応答用マイクに音声の受信が開始され、音声信号がＶＯＸ回路に入力されることによって、応答用マイクのＰＴＴボタンがオンとなるものとすることができる。
【００１５】
応答用マイクに音声の受信が開始され、音声信号がＶＯＸ回路に入力されることがトリガーとなって、応答用マイクのＰＴＴボタンがオンとなるため、監視対象場所から指令室へのレスポンスを直接的にタイミングよく行うことができる。
【００１６】
本発明の監視システムにおいては、前記指令応答手段は、指令室からの音声情報の送信が終了すると、予め設定された時間が経過するまでの間、自動的に応答用マイクのＰＴＴボタンがオンとなるものとすることができる。
【００１７】
ＶＯＸ回路を用いる場合には、監視対象場所での雑音を拾うことによる誤動作が生じる場合があり、静かな環境下では極めて有効であるものの、騒音を生じやすい工事現場等には適していないのに対して、指令室からの音声情報の送信終了後、予め設定された時間が経過するまでの間、自動的に応答用マイクのＰＴＴボタンがオンとなるようになっていることにより、騒音を発生しやすい場所が監視対象場所である場合であっても、誤動作を起こすことなく、監視対象場所から指令室へのレスポンスを正確に行うことができる。
【００１８】
本発明の監視システムにおいては、前記指令応答手段は、指令室と監視対象場所との間で相互に通信可能な状態となって、監視対象場所からの音声情報が前記通信機を介して指令室に送信されるものとすることができる。
【００１９】
このように、指令室と監視対象場所との間で相互に通信可能な状態とすることにより、どのタイミングでも、指令室からの指令と監視対象場所からの応答を行うことができる。これは、特に災害発生時のような緊急事態の場合や、工事現場の作業中において、機械の動作に関する予期せぬ事態が発生した場合のように、一刻も早く監視対象場所の状況を指令室に通知したい場合に有効である。
【００２０】
本発明の監視システムにおいては、指令室と監視対象場所との間で相互に通信可能な状態下において、送信されている音声が、指令室からのものであるか監視対象場所からのものであるかを判定する音声方向判定手段を備えていることとすることができる。
【００２１】
指令室と監視対象場所との間で相互に通信可能な状態では、指令室と監視対象場所のどちらから音声が発せられているかを判断する必要があるが、音声方向判定手段を備えていることにより、送信されている音声が、指令室からのものであるか監視対象場所からのものであるかを判定することができ、指令室と監視対象場所との間の情報伝達を適正に行うことができる。
【００２２】
本発明の監視システムにおいては、前記音声方向判定手段によって、音声が指令室からのものであると判断されると、音声を監視対象場所に送信し、音声が監視対象場所からのものであると判断されると、音声を指令室へ送信することとすることができる。
【００２３】
指令室と監視対象場所との間で相互に通信可能な状態下において、指令室からの音声と監視対象場所からの音声とが混合せずに、いずれか一方のみの音声が検知されている場合には、音声方向判定手段によって音声方向の検知を行うことにより、音声の送信方向を適正に定めることができる。
【００２４】
本発明の監視システムにおいては、前記音声方向判定手段によって、指令室からの音声と監視対象場所からの音声とが混合していると判断されると、その混合音声を指令室と監視対象場所とに送信し、指令室に送信される音声からは、指令室から発せられた音声を消去し、監視対象場所に送信される音声からは、監視対象場所から発せられた音声を消去するエコーキャンセル手段を備えていることとすることができる。
【００２５】
指令室と監視対象場所との間で相互に通信可能な状態下において、指令室からの音声と監視対象場所からの音声とが混合している場合には、その混合音声を指令室と監視対象場所の両方に送信する。その際、混合音声のままでは聞き取りにくいため、エコーキャンセル手段により、指令室に送信される音声からは、指令室から発せられた音声を消去し、監視対象場所に送信される音声からは、監視対象場所から発せられた音声を消去する。そうすることにより、緊急事態に対応するための双方向通信可能状態においても、適正な情報伝達が可能となる。
【００２６】
本発明の監視システムにおいては、前記指令室モニターには、個別の監視対象場所の映像が映し出された複数の画面が表示されるとともに、選択された複数の監視対象場所を表示する統合画面が表示され、当該統合画面のＰＴＴボタンがクリックされると、指令側マイクのＰＴＴボタンがオンとなり、指令室からの音声信号が通信回線を介して、該当するグループ化された複数の監視対象場所の通信機に送られ、指令室からの指示が該当するグループ化された複数の監視対象場所に送信されることとすることができる。
【００２７】
統合画面によって、グループ化された複数の監視対象場所に対して、指令室モニターによって一元化された指令の伝達が可能となる。
【００２８】
本発明の監視システムにおいては、指令室からの音声による指示がグループ化された複数の監視対象場所に送信されると、該当するグループ化された複数の監視対象場所からの音声情報が前記通信機を介して指令室に送信できる状態となるグループ化指令応答手段を備えていることとすることができる。
【００２９】
グループ化指令応答手段により、指令室が求める、該当するグループ化された複数の監視対象場所からの応答をスムーズに行うことができる。
【００３０】
本発明の監視システムにおいては、前記指令室モニターには、全ての監視対象場所に対して送信するための一斉通信画面が表示され、一斉通信画面のＰＴＴボタンがクリックされると、指令側マイクのＰＴＴボタンがオンとなり、指令室からの音声信号が通信回線を介して、全ての監視対象場所の通信機に送られ、指令室からの指示が全ての監視対象場所に送信されることとすることができる。
【００３１】
一斉通信画面によって、全ての監視対象場所に対して、指令室モニターによって一元化された指令の伝達が可能となる。
【００３２】
本発明の監視システムにおいては、指令室からの音声による指示が全ての監視対象場所に送信されると、全ての監視対象場所からの音声情報が前記通信機を介して指令室に送信できる状態となる一斉指令応答手段を備えていることとすることができる。
【００３３】
一斉指令応答手段により、指令室が求める、全ての監視対象場所からの応答をスムーズに行うことができる。
【発明の効果】
【００３４】
本発明によると、監視場所からの映像が送られる指令室と監視場所との間の通信を簡単な操作により短時間で行うことを可能とする監視システムを実現することができる。
【図面の簡単な説明】
【００３５】
【図１】本発明の実施形態に係る監視システムの構成を示す図である。
【図２】監視対象場所からの指令応答手段について説明する図である。
【図３】監視対象場所からの指令応答手段について説明する図である。
【図４】監視対象場所からの指令応答手段について説明する図である。
【発明を実施するための形態】
【００３６】
以下に、本発明の監視システムを、その実施形態に基づいて説明する。
図１に、本発明の実施形態に係る監視システムの構成を示す。
本発明の監視システムは、監視対象場所１の状況を撮影するカメラ２と、監視対象場所１に設置されてカメラ２の映像を指令室６に送信する通信機３と、監視対象場所１の映像が映し出された画面４を備えた指令室モニター５と、指令室６に設置された指令側マイク７を備えている。監視対象場所１には応答用マイク８と現場スピーカー９が備えられ、指令室６には指令室スピーカー１０が備えられている。
【００３７】
監視対象場所１の映像が映し出される画面４にはＰＴＴボタン１１が表示されており、この画面４を備えた指令コンピューター１２は、サーバー１３に接続されている。指令コンピューター１２とサーバー１３と、監視対象場所１の通信機３とは、基地局１４を介してインターネット回線によって接続されている。
【００３８】
監視対象場所１において、カメラ２と応答用マイク８は、通信機３に接続されており、通信機３のＳＩＭ番号に紐づけされた音声、映像をサーバー１３に送信することができる。サーバー１３は、通信機３から送信されるＳＩＭ番号を利用して、指令コンピューター１２に音声通信を行うことができ、ＳＩＭ番号に紐づけされた映像に映像用アドレスを付加して、映像配信を行うことができる。
【００３９】
指令室６において監視者が、指令室モニター５に表示される特定の監視対象場所１の映像を見て、その現場における異常事態の発生を感じたときには、当該監視対象場所１の映像が映し出された画面４のＰＴＴボタン１１をクリックすると、指令側マイク７のＰＴＴボタンがオンとなり、指令室６からの音声信号が通信回線を介して監視対象場所１の通信機３に送られ、指令室６からの音声による指示が監視対象場所１の現場スピーカー９から発せられる。
【００４０】
このように、監視対象場所１の映像が映し出された画面４のＰＴＴボタン１１がクリックされると、指令側マイク７のＰＴＴボタンがオンとなり、指令室６からの音声信号が通信回線を介して監視対象場所の通信機３に送られ、指令室６からの音声による指示が監視対象場所１に送信される指令送信手段を有している。
【００４１】
そのため、従来から行われているように、異常が検知された監視対象場所１に駐在する係員に対して、無線通信機等のような別個の装置を用いて指令を伝達する必要がなく、指令室モニター５によって一元化された指令の伝達が可能となる。従って、無線通信機等のような別個の装置を操作するために必要となる時間を要することなく、指令室６と監視対象場所１との間の通信を簡単な操作により短時間で行うことができる。
【００４２】
指令室６からの音声による指示が監視対象場所１に送信されると、クリックされた画面４の映像を送信した監視対象場所１からの音声情報が通信機３を介して指令室６に送信できる状態となる。これが指令応答手段として機能する。
【００４３】
このような指令応答手段を備えていることにより、応答用マイク８から通信回線によって指令室６へ応答を行うことができる。指令応答手段の具体例については、後に詳述する。
【００４４】
指令室モニター５には、個別の監視対象場所１の映像が映し出された複数の画面４が表示されるとともに、選択された複数の監視対象場所１を表示する統合画面１５が表示される。図１においては、映像１、映像２、映像３のそれぞれについての個別画面の他に、映像１と映像２とをグループ化したグループ通信１画面が設けられている。当該統合画面１５のＰＴＴボタンがクリックされると、指令側マイク７のＰＴＴボタンがオンとなり、指令室６からの音声信号が通信回線を介して、該当するグループ化された複数の監視対象場所１の通信機３に送られ、指令室６からの指示が該当するグループ化された複数の監視対象場所１に送信される。
【００４５】
指令室６からの音声による指示がグループ化された複数の監視対象場所１に送信されると、該当するグループ化された複数の監視対象場所１からの音声情報が通信機３を介して指令室６に送信できる状態となる。これがグループ化指令応答手段として機能する。
【００４６】
また、指令室モニター５には、全ての監視対象場所１に対して送信するための一斉通信画面１６が表示される。一斉通信画面１６のＰＴＴボタンがクリックされると、指令側マイク７のＰＴＴボタンがオンとなり、指令室６からの音声信号が通信回線を介して、全ての監視対象場所１の通信機に送られ、指令室６からの指示が全ての監視対象場所１に送信される。
【００４７】
指令室６からの音声による指示が全ての監視対象場所１に送信されると、全ての監視対象場所１からの音声情報が通信機３を介して指令室６に送信できる状態となる。これが一斉指令応答手段として機能する。
【００４８】
図２から図４に基づいて、監視対象場所からの指令応答手段について説明する。
図２は、指令応答手段の第一実施形態を示しており、指令室６からの音声情報の送信が終了すると自動的に音声待機状態となり、応答用マイク８に音声の受信が開始されて音声が検知されると、音声信号がＶＯＸ回路に入力されることによって、応答用マイク８のＰＴＴボタンがオンとなり、応答用マイク８からの音声がオンとなる。これにより、監視対象場所１から指令室６への音声送信がなされる。音声が検知されないと、応答用マイク８のＰＴＴボタンはオフのままである。
【００４９】
このように、応答用マイク８に音声の受信が開始され、音声信号がＶＯＸ回路に入力されることがトリガーとなって、応答用マイク８のＰＴＴボタンがオンとなるため、監視対象場所から指令室へのレスポンスを直接的にタイミングよく行うことができる。
【００５０】
図３は、指令応答手段の第二実施形態を示しており、指令室６のコンピューターからの音声情報の送信の終了が確認されると、応答用マイク８のＰＴＴボタンがオンとなる。応答用マイク８のＰＴＴボタンがオンとなった時刻を起点として、予め設定された時間が経過したか否かの判断がなされ、予め設定された時間が経過するまでの間、応答用マイク８のＰＴＴボタンがオンとなった状態が維持され、応答用マイク８からの音声がオンとなり、応答用マイク８からの応答可能な状態が維持される。これにより、監視対象場所１から指令室６への音声送信がなされる。
【００５１】
その一方、応答用マイク８のＰＴＴボタンがオンとなった時刻を起点として、予め設定された時間が経過すると、応答用マイク８のＰＴＴボタンはオフとなり、応答用マイク８からの応答可能な状態は一旦解除されて、指令室６から指令を発せられる状態となる。そのため、指令室６から再度指令を送った後、再び応答用マイク８のＰＴＴボタンをオンとし、応答用マイク８のＰＴＴボタンがオンとなった時刻を起点として、予め設定された時間が経過するまでの間、応答用マイク８のＰＴＴボタンがオンとなった状態が維持されるようにする。応答用マイク８のＰＴＴボタンがオンとなった状態を維持するための設定時間は、指令室側で状況に応じて適宜変更することができる。指令室６側では、このような動作を必要に応じて繰り返すことができ、監視対象場所１からの応答を、時間を区切って催促することができる。
【００５２】
ＶＯＸ回路を用いる場合には、監視対象場所での雑音を拾うことによる誤動作が生じる場合があり、静かな環境下では極めて有効であるものの、騒音を生じやすい工事現場等には適していないのに対して、第二実施形態のように、指令室６からの音声情報の送信終了後、予め設定された時間が経過するまでの間、自動的に応答用マイクのＰＴＴボタンがオンとなるようになっていることにより、騒音を発生しやすい場所が監視対象場所１である場合であっても、誤動作を起こすことなく、監視対象場所１から指令室６へのレスポンスを正確に行うことができる。
【００５３】
図４は、指令応答手段の第三実施形態を示しており、指令室６と監視対象場所１との間で相互に通信可能な状態下において、送信されている音声が、指令室６からのものであるか監視対象場所１からのものであるかを判定する音声方向判定手段１７を備えている。
【００５４】
指令室６からの音声をＢ音、監視対象場所１からの音声をＡ音とすると、指令室６と監視対象場所１との間で相互に通信可能な状態では、Ａ音とＢ音とが音声混合される。この混合された音声に対して、音声方向判定手段１７により、指令室６と監視対象場所１のどちらから音声が発せられているかが判断される。
【００５５】
指令室６と監視対象場所１との間で相互に通信可能な状態下において、指令室６からの音声と監視対象場所１からの音声とが混合せずに、いずれか一方のみの音声が検知されている場合には、音声方向判定手段１７によって音声方向の検知を行うことにより、音声の送信方向を適正に定めることができる。
【００５６】
具体的には、音声方向判定手段１７によって、音声が指令室６からのものであると判断されると、音声を監視対象場所１に送信し、音声が監視対象場所１からのものであると判断されると、音声を指令室６へ送信する。
【００５７】
指令室６と監視対象場所１との間で相互に通信可能な状態下において、指令室６からの音声と監視対象場所１からの音声とが混合している場合には、その混合音声を指令室６と監視対象場所１の両方に送信する。その際、混合音声のままでは聞き取りにくいため、エコーキャンセル手段１８により、指令室６に送信される音声からは、指令室６から発せられた音声を消去し、監視対象場所１に送信される音声からは、監視対象場所１から発せられた音声を消去する。そうすることにより、緊急事態に対応するための双方向通信可能状態においても、適正な情報伝達が可能となる。このように、エコーキャンセル手段１８は、指令室６に送信される音声からは、指令室６から発せられた音声を消去し、監視対象場所１に送信される音声からは、監視対象場所１から発せられた音声を消去するものである。
【００５８】
以上説明したように、指令室６と監視対象場所１との間で相互に通信可能な状態とすることにより、どのタイミングでも、指令室６からの指令と監視対象場所１からの応答を行うことができる。これは、特に災害発生時のような緊急事態の場合や、工事現場の作業中において、機械の動作に関する予期せぬ事態が発生した場合のように、一刻も早く監視対象場所１の状況を指令室６に通知したい場合に有効である。
【００５９】
上述した指令応答手段によって、監視対象場所１においては、監視システムに一体として組み込まれた応答用マイク８によって、指令室６への応答を、ハンズフリーでタイムリーに行うことができる。
【００６０】
図２から図４に基づいて説明した、指令応答手段の各実施形態は、指令室６からの音声による指示がグループ化された複数の監視対象場所１に送信されると、グループ化された複数の監視対象場所１からの音声情報が通信機３を介して指令室６に送信できる状態となるグループ化指令応答手段にも適用することができる。また、指令室６からの音声による指示が全ての監視対象場所１に送信されると、全ての監視対象場所１からの音声情報が通信機３を介して指令室６に送信できる状態となる一斉指令応答手段にも適用することができる。
【産業上の利用可能性】
【００６１】
本発明は、監視場所からの映像が送られる指令室と監視場所との間の通信を簡単な操作により短時間で行うことを可能とする監視システムとして、警備や防災の現場において広く利用することができる。
【符号の説明】
【００６２】
１  監視対象場所
２  カメラ
３  通信機
４  画面
５  指令室モニター
６  指令室
７  指令側マイク
８  応答用マイク
９  現場スピーカー
１０  指令室スピーカー
１１  ＰＴＴボタン
１２  指令コンピューター
１３  サーバー
１４  基地局
１５  統合画面
１６  一斉通信画面
１７  音声方向判定手段
１８  エコーキャンセル手段
【要約】
【課題】監視場所からの映像が送られる指令室と監視場所との間の通信を簡単な操作により短時間で行うことを可能とする監視システムを提供する。
【解決手段】監視対象場所１の状況を撮影するカメラ２と、監視対象場所１に設置されてカメラ２の映像を送信する通信機３と、監視対象場所１の映像が映し出された画面４を備えた指令室モニター５と、指令室６に設置された指令側マイク７を備えている。監視者が、指令室モニター５に表示される特定の監視対象場所１の映像に異常事態の発生を感じたときには、当該監視対象場所１の映像が映し出された画面４のＰＴＴボタン１１をクリックすると、指令側マイク７のＰＴＴボタンがオンとなり、指令室６からの音声による指示が監視対象場所１の現場スピーカー９から発せられる。
【選択図】図１【図１】
0006632019.tif 000002
【図２】
0006632019.tif 000003
【図３】
0006632019.tif 000004
【図４】
0006632019.tif 000005